(57)【要約】【課題】本発明は自動墨磨り硯を開示した。【解決手段】箱を含み、移動ロッドが左へ移動する時、第一引っ掛かりブロックが第一引っ掛かり溝の中に引っ掛かり、そして動かし板がスライド板を下へ移動連動させ、スライド板が下へ移動して第三歯車の伝動により第二引っ掛かりブロックを上へ移動連動させ、水入口の中に水を入れる時、磨り機構を始動し、これにより磨り機構の中の磨り棒が硯の表面で墨を磨り、人工での操作が必要なく、使用者が時間を節約してほかのことをすることができる。【選択図】図１
2020175640.tif 000002
【特許請求の範囲】
【請求項１】
箱を含み、前記箱の中には上方に開口した水入口が設けられ、前記水入口の中にはプッシュブロックがスライドできるように取り付けられ、前記プッシュブロックの前側端面には補助ロッドが固定的に取り付けられ、前記プッシュブロックの底部端面と前記水入口の底壁との間には第一バネが固定的に取り付けられ、前記水入口には移動溝が連通するように設けられ、前記移動溝の中には移動ロッドがスライドできるように取り付けられ、前記移動ロッドの中には補助溝が設けられ、前記補助溝と前記補助ロッドとがスライドできるように取り付けられ、前記移動ロッドの頂部端面には斜め溝が設けられ、前記斜め溝の上方にはスライド溝が連通するように設けられ、前記スライド溝の中にはスライドブロックがスライドできるように取り付けられ、前記スライドブロックと前記斜め溝とがスライドできるように取り付けられ、前記スライドブロックの頂部端面には第一通電ヘッドが固定的に取り付けられ、前記箱の頂部端面の中には磨り箱が回転できるように取り付けられ、前記磨り箱の底部端面の中には第二通電ヘッドが固定的に取り付けられ、前記第二通電ヘッドと前記第一通電ヘッドとがくっつくことができ、前記第二通電ヘッドの上方には磨りチャンバが設けられ、前記磨りチャンバの底壁の中にはモーターが固定的に取り付けられ、前記モーターの底部端面には電線が固定的に取り付けられ、前記電線と前記第二通電ヘッドとが固定的に連結され、水が水入口から入る時、水流が前記プッシュブロックを下に移動連動させ、前記プッシュブロックが下に移動し前記移動ロッドを左に移動連動させ、前記移動ロッドが左に移動して前記スライドブロックを上に移動連動させ、前記第一通電ヘッドと前記第二通電ヘッドとをくっつけさせ、前記モーターを通電させ、前記移動ロッドの上方には前記磨り箱と前記箱とを引っ掛けることができる位置制限機構が設けられ、前記磨りチャンバの中には磨り機能を持つ磨り機構も設けられ、前記磨り機構は前記磨りチャンバの下方に位置している連結チャンバを含み、前記連結チャンバの中には硯が置かれていることを特徴とする自動墨磨り硯。
【請求項２】
前記位置制限機構は前記移動ロッドの頂部端面に設置された第一引っ掛かり溝も含み、前記第一引っ掛かり溝の上方には動かしチャンバが連通するように設けられ、前記動かしチャンバの中には動かし板がスライドできるように取り付けられ、前記動かし板の底部端面には第一引っ掛かりブロックが固定的に取り付けられ、前記第一引っ掛かりブロックと前記第一引っ掛かり溝とがスライドできるように取り付けられ、前記動かし板の頂部端面と前記動かしチャンバの頂壁との間には第二バネが固定的に取り付けられ、前記動かしチャンバの右側にはスライドチャンバが連通するように設けられ、前記スライドチャンバの中にはスライド板がスライドできるように取り付けられ、前記スライド板と前記動かし板とが固定的に連結され、前記スライドチャンバの右側には伝動チャンバが連通するように設けられ、前記伝動チャンバの前後内壁の間には伝動ロッドが回転できるように取り付けられ、前記伝動ロッドには第三歯車が固定的に取り付けられ、前記第三歯車と前記スライド板とが噛合し、前記伝動チャンバの右側には移動チャンバが連通するように設けられ、前記移動チャンバの中には第二引っ掛かりブロックがスライドできるように取り付けられ、前記第二引っ掛かりブロックと前記第三歯車とが噛合し、前記磨り箱の底部端面の中には下方に開口した第二引っ掛かり溝が設けられ、前記第二引っ掛かりブロックは前記第二引っ掛かり溝の中に引っ掛かることができ、これにより移動ロッドが左へ移動する時、第一引っ掛かりブロックが第一引っ掛かり溝の中に引っ掛かり、そして動かし板がスライド板を下へ移動連動させ、スライド板が下へ移動して第三歯車の伝動により第二引っ掛かりブロックを上へ移動連動させ、第二引っ掛かりブロックが上へ移動して第二引っ掛かり溝の中に引っ掛かり、磨り箱の移動を防止することを特徴とする請求項１に記載の自動墨磨り硯。
【請求項３】
前記磨り機構は前記磨りチャンバの頂壁の中に回転できるように取り付けられた回転ロッドも含み、前記回転ロッドの底部端面には第二歯車が固定的に取り付けられ、前記第二歯車の底部端面には磨り棒が左右に対称的に固定的に取り付けられ、前記磨りチャンバの後側にはラックチャンバが連通するように設けられ、前記ラックチャンバの中にはラックがスライドできるように取り付けられ、前記ラックと前記第二歯車とが噛合し、前記モーターのうち上向きの出力軸の頂部端面には動力ロッドが固定的に取り付けられ、前記動力ロッドの頂部端面には第一歯車が固定的に取り付けられ、前記第一歯車と前記ラックとが噛合し、前記水入口と前記連結チャンバとの間には連通管が設けられ、これにより硯を磨る時、モーターが始動して動力ロッドを正方向に又は逆方向に回転連動させ、動力ロッドが回転して第一歯車を回転連動させ、第一歯車が回転してラックを左右に移動連動させ、そして第二歯車が正方向に又は反方向に回転し磨り棒を駆動し、磨り棒が硯の表面で墨を磨ることを特徴とする請求項１に記載の自動墨磨り硯。
【発明の詳細な説明】
【技術分野】
【０００１】
本発明は文房具分野を取り上げて、具体的には自動墨磨り硯である。
【背景技術】
【０００２】
人々が毛筆で字を書く時、硯で墨を磨る必要があり、通常的に手動でするが、墨磨りには長く時間がかかり、また断続的にすることができないため、墨磨りの時に手が離せなく、また墨磨りの不均一の状況を引き起こす可能性がある。
【先行技術文献】
【特許文献】
【０００３】
【特許文献１】中国特許出願公開第１０４９２４８１５号明細書
【発明の概要】
【発明が解決しようとする課題】
【０００４】
本発明の目的は自動墨磨り硯を提供し、それは上記の現在の技術中の問題を解決できる。
【課題を解決するための手段】
【０００５】
本発明の自動墨磨り硯は、箱を含み、前記箱の中には上方に開口した水入口が設けられ、前記水入口の中にはプッシュブロックがスライドできるように取り付けられ、前記プッシュブロックの前側端面には補助ロッドが固定的に取り付けられ、前記プッシュブロックの底部端面と前記水入口の底壁との間には第一バネが固定的に取り付けられ、前記水入口には移動溝が連通するように設けられ、前記移動溝の中には移動ロッドがスライドできるように取り付けられ、前記移動ロッドの中には補助溝が設けられ、前記補助溝と前記補助ロッドとがスライドできるように取り付けられ、前記移動ロッドの頂部端面には斜め溝が設けられ、前記斜め溝の上方にはスライド溝が連通するように設けられ、前記スライド溝の中にはスライドブロックがスライドできるように取り付けられ、前記スライドブロックと前記斜め溝とがスライドできるように取り付けられ、前記スライドブロックの頂部端面には第一通電ヘッドが固定的に取り付けられ、前記箱の頂部端面の中には磨り箱が回転できるように取り付けられ、前記磨り箱の底部端面の中には第二通電ヘッドが固定的に取り付けられ、前記第二通電ヘッドと前記第一通電ヘッドとがくっつくことができ、前記第二通電ヘッドの上方には磨りチャンバが設けられ、前記磨りチャンバの底壁の中にはモーターが固定的に取り付けられ、前記モーターの底部端面には電線が固定的に取り付けられ、前記電線と前記第二通電ヘッドとが固定的に連結され、水が水入口から入る時、水流が前記プッシュブロックを下に移動連動させ、前記プッシュブロックが下に移動し前記移動ロッドを左に移動連動させ、前記移動ロッドが左に移動して前記スライドブロックを上に移動連動させ、前記第一通電ヘッドと前記第二通電ヘッドとをくっつけさせ、前記モーターを通電させ、前記移動ロッドの上方には前記磨り箱と前記箱とを引っ掛けることができる位置制限機構が設けられ、前記磨りチャンバの中には磨り機能を持つ磨り機構も設けられ、前記磨り機構は前記磨りチャンバの下方に位置している連結チャンバを含み、前記連結チャンバの中には硯が置かれている。
【０００６】
更の技術プラン、前記位置制限機構は前記移動ロッドの頂部端面に設置された第一引っ掛かり溝も含み、前記第一引っ掛かり溝の上方には動かしチャンバが連通するように設けられ、前記動かしチャンバの中には動かし板がスライドできるように取り付けられ、前記動かし板の底部端面には第一引っ掛かりブロックが固定的に取り付けられ、前記第一引っ掛かりブロックと前記第一引っ掛かり溝とがスライドできるように取り付けられ、前記動かし板の頂部端面と前記動かしチャンバの頂壁との間には第二バネが固定的に取り付けられ、前記動かしチャンバの右側にはスライドチャンバが連通するように設けられ、前記スライドチャンバの中にはスライド板がスライドできるように取り付けられ、前記スライド板と前記動かし板とが固定的に連結され、前記スライドチャンバの右側には伝動チャンバが連通するように設けられ、前記伝動チャンバの前後内壁の間には伝動ロッドが回転できるように取り付けられ、前記伝動ロッドには第三歯車が固定的に取り付けられ、前記第三歯車と前記スライド板とが噛合し、前記伝動チャンバの右側には移動チャンバが連通するように設けられ、前記移動チャンバの中には第二引っ掛かりブロックがスライドできるように取り付けられ、前記第二引っ掛かりブロックと前記第三歯車とが噛合し、前記磨り箱の底部端面の中には下方に開口した第二引っ掛かり溝が設けられ、前記第二引っ掛かりブロックは前記第二引っ掛かり溝の中に引っ掛かることができる。
【０００７】
更の技術プラン、前記磨り機構は前記磨りチャンバの頂壁の中に回転できるように取り付けられた回転ロッドも含み、前記回転ロッドの底部端面には第二歯車が固定的に取り付けられ、前記第二歯車の底部端面には磨り棒が左右に対称的に固定的に取り付けられ、前記磨りチャンバの後側にはラックチャンバが連通するように設けられ、前記ラックチャンバの中にはラックがスライドできるように取り付けられ、前記ラックと前記第二歯車とが噛合し、前記モーターのうち上向きの出力軸の頂部端面には動力ロッドが固定的に取り付けられ、前記動力ロッドの頂部端面には第一歯車が固定的に取り付けられ、前記第一歯車と前記ラックとが噛合し、前記水入口と前記連結チャンバとの間には連通管が設けられる。
【発明の効果】
【０００８】
本発明が水入口の中に水を入れる時、磨り機構を始動し、これにより磨り機構の中の磨り棒が硯の表面で墨を磨り、磨る過程で、人工での操作が必要なく、使用者が時間を節約してほかのことをすることができ、位置制限機構はモーターが作動磨る時の持続通電を保証し、墨磨りが終わった後、手動で磨りを止めることができ、普及価値がある。
【図面の簡単な説明】
【０００９】
【図１】図１は本発明の構成略図
【図２】図２は図１のＡ−Ａの断面構成略図
【図３】図３は図１のＢ−Ｂの断面構成略図
【図４】図４は図１のＣの拡大略図
【発明を実施するための形態】
【００１０】
以下、図１〜４を合わせて本発明について詳しく説明し、また、説明の便利を図るため、下記に記載の上下左右前後方向が図１自身の投影関係の上下左右前後方向と一致することにする。
【００１１】
図１〜４を参照し、本発明の自動墨磨り硯は、箱１２を含み、前記箱１２の中には上方に開口した水入口１１が設けられ、前記水入口１１の中にはプッシュブロック１３がスライドできるように取り付けられ、前記プッシュブロック１３の前側端面には補助ロッド１５が固定的に取り付けられ、前記プッシュブロック１３の底部端面と前記水入口１１の底壁との間には第一バネ１７が固定的に取り付けられ、前記水入口１１には移動溝１６が連通するように設けられ、前記移動溝１６の中には移動ロッド１８がスライドできるように取り付けられ、前記移動ロッド１８の中には補助溝１４が設けられ、前記補助溝１４と前記補助ロッド１５とがスライドできるように取り付けられ、前記移動ロッド１８の頂部端面には斜め溝２４が設けられ、前記斜め溝２４の上方にはスライド溝２７が連通するように設けられ、前記スライド溝２７の中にはスライドブロック２５がスライドできるように取り付けられ、前記スライドブロック２５と前記斜め溝２４とがスライドできるように取り付けられ、前記スライドブロック２５の頂部端面には第一通電ヘッド２６が固定的に取り付けられ、前記箱１２の頂部端面の中には磨り箱３９が回転できるように取り付けられ、前記磨り箱３９の底部端面の中には第二通電ヘッド２８が固定的に取り付けられ、前記第二通電ヘッド２８と前記第一通電ヘッドとがくっつくことができ、前記第二通電ヘッド２８の上方には磨りチャンバ４０が設けられ、前記磨りチャンバ４０の底壁の中にはモーター３０が固定的に取り付けられ、前記モーター３０の底部端面には電線２９が固定的に取り付けられ、前記電線２９と前記第二通電ヘッド２８とが固定的に連結され、水が水入口１１から入る時、水流が前記プッシュブロック１３を下に移動連動させ、前記プッシュブロック１３が下に移動し前記移動ロッド１８を左に移動連動させ、前記移動ロッド１８が左に移動して前記スライドブロック２５を上に移動連動させ、前記第一通電ヘッド２６と前記第二通電ヘッド２８とをくっつけさせ、前記モーター３０を通電させ、前記移動ロッド１８の上方には前記磨り箱３９と前記箱１２とを引っ掛けることができる位置制限機構８０が設けられ、前記磨りチャンバ４０の中には磨り機能を持つ磨り機構９０も設けられ、前記磨り機構９０は前記磨りチャンバ４０の下方に位置している連結チャンバ４１を含み、前記連結チャンバ４１の中には硯３８が置かれている。
【００１２】
前記位置制限機構８０は前記移動ロッド１８の頂部端面に設置された第一引っ掛かり溝１９も含み、前記第一引っ掛かり溝１９の上方には動かしチャンバ２３が連通するように設けられ、前記動かしチャンバ２３の中には動かし板２１がスライドできるように取り付けられ、前記動かし板２１の底部端面には第一引っ掛かりブロック２０が固定的に取り付けられ、前記第一引っ掛かりブロック２０と前記第一引っ掛かり溝１９とがスライドできるように取り付けられ、前記動かし板２１の頂部端面と前記動かしチャンバ２３の頂壁との間には第二バネ２２が固定的に取り付けられ、前記動かしチャンバ２３の右側にはスライドチャンバ４３が連通するように設けられ、前記スライドチャンバ４３の中にはスライド板４５がスライドできるように取り付けられ、前記スライド板４５と前記動かし板２１とが固定的に連結され、前記スライドチャンバ４３の右側には伝動チャンバ４７が連通するように設けられ、前記伝動チャンバ４７の前後内壁の間には伝動ロッド４４が回転できるように取り付けられ、前記伝動ロッド４４には第三歯車４６が固定的に取り付けられ、前記第三歯車４６と前記スライド板４５とが噛合し、前記伝動チャンバ４７の右側には移動チャンバ４８が連通するように設けられ、前記移動チャンバ４８の中には第二引っ掛かりブロック４９がスライドできるように取り付けられ、前記第二引っ掛かりブロック４９と前記第三歯車４６とが噛合し、前記磨り箱３９の底部端面の中には下方に開口した第二引っ掛かり溝５０が設けられ、前記第二引っ掛かりブロック４９は前記第二引っ掛かり溝５０の中に引っ掛かることができ、これにより移動ロッド１８が左へ移動する時、第一引っ掛かりブロック２０が第一引っ掛かり溝１９の中に引っ掛かり、そして動かし板２１がスライド板４５を下へ移動連動させ、スライド板４５が下へ移動して第三歯車４６の伝動により第二引っ掛かりブロック４９を上へ移動連動させ、第二引っ掛かりブロック４９が上へ移動して第二引っ掛かり溝５０の中に引っ掛かり、磨り箱３９の移動を防止する。
【００１３】
前記磨り機構９０は前記磨りチャンバ４０の頂壁の中に回転できるように取り付けられた回転ロッド３７も含み、前記回転ロッド３７の底部端面には第二歯車３６が固定的に取り付けられ、前記第二歯車３６の底部端面には磨り棒３５が左右に対称的に固定的に取り付けられ、前記磨りチャンバ４０の後側にはラックチャンバ３１が連通するように設けられ、前記ラックチャンバ３１の中にはラック３４がスライドできるように取り付けられ、前記ラック３４と前記第二歯車３６とが噛合し、前記モーター３０のうち上向きの出力軸の頂部端面には動力ロッド３２が固定的に取り付けられ、前記動力ロッド３２の頂部端面には第一歯車３３が固定的に取り付けられ、前記第一歯車３３と前記ラック３４とが噛合し、前記水入口１１と前記連結チャンバ４１との間には連通管４２が設けられ、これにより硯３８を磨る時、モーター３０が始動して動力ロッド３２を正方向に又は逆方向に回転連動させ、動力ロッド３２が回転して第一歯車３３を回転連動させ、第一歯車３３が回転してラック３４を左右に移動連動させ、そして第二歯車３６が正方向に又は反方向に回転し磨り棒３５を駆動し、磨り棒３５が硯３８の表面で墨を磨る。
【００１４】
使用する時、水が前記水入口１１から入る時、水が連通管４２を経由して連結チャンバ４１に入り、流が前記プッシュブロック１３を下に移動連動させ、前記プッシュブロック１３が下に移動して前記移動ロッド１８を左に移動連動させ、前記移動ロッド１８が左に移動して前記スライドブロック２５を上に移動連動させ、前記第一通電ヘッド２６と前記第二通電ヘッド２８とをくっつかせ、前記モーター３０を通電させ、移動ロッド１８が左へ移動する時、第一引っ掛かりブロック２０が第一引っ掛かり溝１９の中に引っ掛かり、そして動かし板２１がスライド板４５を下へ移動連動させ、スライド板４５が下へ移動して第三歯車４６の伝動により第二引っ掛かりブロック４９を上へ移動連動させ、第二引っ掛かりブロック４９が上へ移動して第二引っ掛かり溝５０の中に引っ掛かり、磨り箱３９の移動を防止し、モーター３０が始動され動力ロッド３２を駆動し正転させ又は逆転させ、動力ロッド３２が回転し第一歯車３３を回転連動させ、第一歯車３３が回転しラック３４を左右に移動連動させ、そして第二歯車３６が正方向に又は反方向に磨り棒３５を回転連動させ、、磨り棒３５が硯３８の表面で墨を磨り、墨磨りが終った後、動かし板２１を押し動かし第一引っ掛かりブロック２０を上に移動連動させ、第一引っ掛かりブロック２０と第一引っ掛かり溝１９とが引っ掛かり状態から離脱し、動かし板２１が伝動ベルトにより第二引っ掛かりブロック４９を下へ移動連動させ、第二引っ掛かりブロック４９と第二引っ掛かり溝５０とが引っ掛かり状態から離脱し、そして磨り箱３９を回転させ、硯３８を外部に連通させる。
【００１５】
本発明の有益効果は：本発明が水入口の中に水を入れる時、磨り機構を始動し、これにより磨り機構の中の磨り棒が硯の表面で墨を磨り、磨る過程で、人工での操作が必要なく、使用者が時間を節約してほかのことをすることができ、位置制限機構はモーターが作動磨る時の持続通電を保証し、墨磨りが終わった後、手動で磨りを止めることができ、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175640.tif 000003
【図２】
2020175640.tif 000004
【図３】
2020175640.tif 000005
【図４】
2020175640.tif 000006
【手続補正書】
【提出日】令和1年7月1日(2019.7.1)
【手続補正１】
【補正対象書類名】特許請求の範囲
【補正対象項目名】請求項３
【補正方法】変更
【補正の内容】
【請求項３】
前記磨り機構は前記磨りチャンバの頂壁の中に回転できるように取り付けられた回転ロッドも含み、前記回転ロッドの底部端面には第二歯車が固定的に取り付けられ、前記第二歯車の底部端面には磨り棒が左右に対称的に固定的に取り付けられ、前記磨りチャンバの後側にはラックチャンバが連通するように設けられ、前記ラックチャンバの中にはラックがスライドできるように取り付けられ、前記ラックと前記第二歯車とが噛合し、前記モーターのうち上向きの出力軸の頂部端面には動力ロッドが固定的に取り付けられ、前記動力ロッドの頂部端面には第一歯車が固定的に取り付けられ、前記第一歯車と前記ラックとが噛合し、前記水入口と前記連結チャンバとの間には連通管が設けられ、これにより磨り棒を磨る時、モーターが始動して動力ロッドを正方向に又は逆方向に回転連動させ、動力ロッドが回転して第一歯車を回転連動させ、第一歯車が回転してラックを左右に移動連動させ、そして第二歯車が正方向に又は反方向に回転し磨り棒を駆動し、磨り棒が硯の表面で墨を磨ることを特徴とする請求項１に記載の自動墨磨り硯。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げて、具体的には自動墨磨り硯である。
【背景技術】
【０００２】
人々が毛筆で字を書く時、硯で墨を磨る必要があり、通常的に手動でするが、墨磨りには長く時間がかかり、また断続的にすることができないため、墨磨りの時に手が離せなく、また墨磨りの不均一の状況を引き起こす可能性がある。
【先行技術文献】
【特許文献】
【０００３】
【特許文献１】中国特許出願公開第１０４９２４８１５号明細書
【発明の概要】
【発明が解決しようとする課題】
【０００４】
本発明の目的は自動墨磨り硯を提供し、それは上記の現在の技術中の問題を解決できる。
【課題を解決するための手段】
【０００５】
本発明の自動墨磨り硯は、箱を含み、前記箱の中には上方に開口した水入口が設けられ、前記水入口の中にはプッシュブロックがスライドできるように取り付けられ、前記プッシュブロックの前側端面には補助ロッドが固定的に取り付けられ、前記プッシュブロックの底部端面と前記水入口の底壁との間には第一バネが固定的に取り付けられ、前記水入口には移動溝が連通するように設けられ、前記移動溝の中には移動ロッドがスライドできるように取り付けられ、前記移動ロッドの中には補助溝が設けられ、前記補助溝と前記補助ロッドとがスライドできるように取り付けられ、前記移動ロッドの頂部端面には斜め溝が設けられ、前記斜め溝の上方にはスライド溝が連通するように設けられ、前記スライド溝の中にはスライドブロックがスライドできるように取り付けられ、前記スライドブロックと前記斜め溝とがスライドできるように取り付けられ、前記スライドブロックの頂部端面には第一通電ヘッドが固定的に取り付けられ、前記箱の頂部端面の中には磨り箱が回転できるように取り付けられ、前記磨り箱の底部端面の中には第二通電ヘッドが固定的に取り付けられ、前記第二通電ヘッドと前記第一通電ヘッドとがくっつくことができ、前記第二通電ヘッドの上方には磨りチャンバが設けられ、前記磨りチャンバの底壁の中にはモーターが固定的に取り付けられ、前記モーターの底部端面には電線が固定的に取り付けられ、前記電線と前記第二通電ヘッドとが固定的に連結され、水が水入口から入る時、水流が前記プッシュブロックを下に移動連動させ、前記プッシュブロックが下に移動し前記移動ロッドを左に移動連動させ、前記移動ロッドが左に移動して前記スライドブロックを上に移動連動させ、前記第一通電ヘッドと前記第二通電ヘッドとをくっつけさせ、前記モーターを通電させ、前記移動ロッドの上方には前記磨り箱と前記箱とを引っ掛けることができる位置制限機構が設けられ、前記磨りチャンバの中には磨り機能を持つ磨り機構も設けられ、前記磨り機構は前記磨りチャンバの下方に位置している連結チャンバを含み、前記連結チャンバの中には硯が置かれている。
【０００６】
更の技術プラン、前記位置制限機構は前記移動ロッドの頂部端面に設置された第一引っ掛かり溝も含み、前記第一引っ掛かり溝の上方には動かしチャンバが連通するように設けられ、前記動かしチャンバの中には動かし板がスライドできるように取り付けられ、前記動かし板の底部端面には第一引っ掛かりブロックが固定的に取り付けられ、前記第一引っ掛かりブロックと前記第一引っ掛かり溝とがスライドできるように取り付けられ、前記動かし板の頂部端面と前記動かしチャンバの頂壁との間には第二バネが固定的に取り付けられ、前記動かしチャンバの右側にはスライドチャンバが連通するように設けられ、前記スライドチャンバの中にはスライド板がスライドできるように取り付けられ、前記スライド板と前記動かし板とが固定的に連結され、前記スライドチャンバの右側には伝動チャンバが連通するように設けられ、前記伝動チャンバの前後内壁の間には伝動ロッドが回転できるように取り付けられ、前記伝動ロッドには第三歯車が固定的に取り付けられ、前記第三歯車と前記スライド板とが噛合し、前記伝動チャンバの右側には移動チャンバが連通するように設けられ、前記移動チャンバの中には第二引っ掛かりブロックがスライドできるように取り付けられ、前記第二引っ掛かりブロックと前記第三歯車とが噛合し、前記磨り箱の底部端面の中には下方に開口した第二引っ掛かり溝が設けられ、前記第二引っ掛かりブロックは前記第二引っ掛かり溝の中に引っ掛かることができる。
【０００７】
更の技術プラン、前記磨り機構は前記磨りチャンバの頂壁の中に回転できるように取り付けられた回転ロッドも含み、前記回転ロッドの底部端面には第二歯車が固定的に取り付けられ、前記第二歯車の底部端面には磨り棒が左右に対称的に固定的に取り付けられ、前記磨りチャンバの後側にはラックチャンバが連通するように設けられ、前記ラックチャンバの中にはラックがスライドできるように取り付けられ、前記ラックと前記第二歯車とが噛合し、前記モーターのうち上向きの出力軸の頂部端面には動力ロッドが固定的に取り付けられ、前記動力ロッドの頂部端面には第一歯車が固定的に取り付けられ、前記第一歯車と前記ラックとが噛合し、前記水入口と前記連結チャンバとの間には連通管が設けられる。
【発明の効果】
【０００８】
本発明が水入口の中に水を入れる時、磨り機構を始動し、これにより磨り機構の中の磨り棒が硯の表面で墨を磨り、磨る過程で、人工での操作が必要なく、使用者が時間を節約してほかのことをすることができ、位置制限機構はモーターが作動磨る時の持続通電を保証し、墨磨りが終わった後、手動で磨りを止めることができ、普及価値がある。
【図面の簡単な説明】
【０００９】
【図１】図１は本発明の構成略図
【図２】図２は図１のＡ−Ａの断面構成略図
【図３】図３は図１のＢ−Ｂの断面構成略図
【図４】図４は図１のＣの拡大略図
【発明を実施するための形態】
【００１０】
以下、図１〜４を合わせて本発明について詳しく説明し、また、説明の便利を図るため、下記に記載の上下左右前後方向が図１自身の投影関係の上下左右前後方向と一致することにする。
【００１１】
図１〜４を参照し、本発明の自動墨磨り硯は、箱１２を含み、前記箱１２の中には上方に開口した水入口１１が設けられ、前記水入口１１の中にはプッシュブロック１３がスライドできるように取り付けられ、前記プッシュブロック１３の前側端面には補助ロッド１５が固定的に取り付けられ、前記プッシュブロック１３の底部端面と前記水入口１１の底壁との間には第一バネ１７が固定的に取り付けられ、前記水入口１１には移動溝１６が連通するように設けられ、前記移動溝１６の中には移動ロッド１８がスライドできるように取り付けられ、前記移動ロッド１８の中には補助溝１４が設けられ、前記補助溝１４と前記補助ロッド１５とがスライドできるように取り付けられ、前記移動ロッド１８の頂部端面には斜め溝２４が設けられ、前記斜め溝２４の上方にはスライド溝２７が連通するように設けられ、前記スライド溝２７の中にはスライドブロック２５がスライドできるように取り付けられ、前記スライドブロック２５と前記斜め溝２４とがスライドできるように取り付けられ、前記スライドブロック２５の頂部端面には第一通電ヘッド２６が固定的に取り付けられ、前記箱１２の頂部端面の中には磨り箱３９が回転できるように取り付けられ、前記磨り箱３９の底部端面の中には第二通電ヘッド２８が固定的に取り付けられ、前記第二通電ヘッド２８と前記第一通電ヘッドとがくっつくことができ、前記第二通電ヘッド２８の上方には磨りチャンバ４０が設けられ、前記磨りチャンバ４０の底壁の中にはモーター３０が固定的に取り付けられ、前記モーター３０の底部端面には電線２９が固定的に取り付けられ、前記電線２９と前記第二通電ヘッド２８とが固定的に連結され、水が水入口１１から入る時、水流が前記プッシュブロック１３を下に移動連動させ、前記プッシュブロック１３が下に移動し前記移動ロッド１８を左に移動連動させ、前記移動ロッド１８が左に移動して前記スライドブロック２５を上に移動連動させ、前記第一通電ヘッド２６と前記第二通電ヘッド２８とをくっつけさせ、前記モーター３０を通電させ、前記移動ロッド１８の上方には前記磨り箱３９と前記箱１２とを引っ掛けることができる位置制限機構８０が設けられ、前記磨りチャンバ４０の中には磨り機能を持つ磨り機構９０も設けられ、前記磨り機構９０は前記磨りチャンバ４０の下方に位置している連結チャンバ４１を含み、前記連結チャンバ４１の中には硯３８が置かれている。
【００１２】
前記位置制限機構８０は前記移動ロッド１８の頂部端面に設置された第一引っ掛かり溝１９も含み、前記第一引っ掛かり溝１９の上方には動かしチャンバ２３が連通するように設けられ、前記動かしチャンバ２３の中には動かし板２１がスライドできるように取り付けられ、前記動かし板２１の底部端面には第一引っ掛かりブロック２０が固定的に取り付けられ、前記第一引っ掛かりブロック２０と前記第一引っ掛かり溝１９とがスライドできるように取り付けられ、前記動かし板２１の頂部端面と前記動かしチャンバ２３の頂壁との間には第二バネ２２が固定的に取り付けられ、前記動かしチャンバ２３の右側にはスライドチャンバ４３が連通するように設けられ、前記スライドチャンバ４３の中にはスライド板４５がスライドできるように取り付けられ、前記スライド板４５と前記動かし板２１とが固定的に連結され、前記スライドチャンバ４３の右側には伝動チャンバ４７が連通するように設けられ、前記伝動チャンバ４７の前後内壁の間には伝動ロッド４４が回転できるように取り付けられ、前記伝動ロッド４４には第三歯車４６が固定的に取り付けられ、前記第三歯車４６と前記スライド板４５とが噛合し、前記伝動チャンバ４７の右側には移動チャンバ４８が連通するように設けられ、前記移動チャンバ４８の中には第二引っ掛かりブロック４９がスライドできるように取り付けられ、前記第二引っ掛かりブロック４９と前記第三歯車４６とが噛合し、前記磨り箱３９の底部端面の中には下方に開口した第二引っ掛かり溝５０が設けられ、前記第二引っ掛かりブロック４９は前記第二引っ掛かり溝５０の中に引っ掛かることができ、これにより移動ロッド１８が左へ移動する時、第一引っ掛かりブロック２０が第一引っ掛かり溝１９の中に引っ掛かり、そして動かし板２１がスライド板４５を下へ移動連動させ、スライド板４５が下へ移動して第三歯車４６の伝動により第二引っ掛かりブロック４９を上へ移動連動させ、第二引っ掛かりブロック４９が上へ移動して第二引っ掛かり溝５０の中に引っ掛かり、磨り箱３９の移動を防止する。
【００１３】
前記磨り機構９０は前記磨りチャンバ４０の頂壁の中に回転できるように取り付けられた回転ロッド３７も含み、前記回転ロッド３７の底部端面には第二歯車３６が固定的に取り付けられ、前記第二歯車３６の底部端面には磨り棒３５が左右に対称的に固定的に取り付けられ、前記磨りチャンバ４０の後側にはラックチャンバ３１が連通するように設けられ、前記ラックチャンバ３１の中にはラック３４がスライドできるように取り付けられ、前記ラック３４と前記第二歯車３６とが噛合し、前記モーター３０のうち上向きの出力軸の頂部端面には動力ロッド３２が固定的に取り付けられ、前記動力ロッド３２の頂部端面には第一歯車３３が固定的に取り付けられ、前記第一歯車３３と前記ラック３４とが噛合し、前記水入口１１と前記連結チャンバ４１との間には連通管４２が設けられ、これにより磨り棒３５を磨る時、モーター３０が始動して動力ロッド３２を正方向に又は逆方向に回転連動させ、動力ロッド３２が回転して第一歯車３３を回転連動させ、第一歯車３３が回転してラック３４を左右に移動連動させ、そして第二歯車３６が正方向に又は反方向に回転し磨り棒３５を駆動し、磨り棒３５が硯３８の表面で墨を磨る。
【００１４】
使用する時、水が前記水入口１１から入る時、水が連通管４２を経由して連結チャンバ４１に入り、流が前記プッシュブロック１３を下に移動連動させ、前記プッシュブロック１３が下に移動して前記移動ロッド１８を左に移動連動させ、前記移動ロッド１８が左に移動して前記スライドブロック２５を上に移動連動させ、前記第一通電ヘッド２６と前記第二通電ヘッド２８とをくっつかせ、前記モーター３０を通電させ、移動ロッド１８が左へ移動する時、第一引っ掛かりブロック２０が第一引っ掛かり溝１９の中に引っ掛かり、そして動かし板２１がスライド板４５を下へ移動連動させ、スライド板４５が下へ移動して第三歯車４６の伝動により第二引っ掛かりブロック４９を上へ移動連動させ、第二引っ掛かりブロック４９が上へ移動して第二引っ掛かり溝５０の中に引っ掛かり、磨り箱３９の移動を防止し、モーター３０が始動され動力ロッド３２を駆動し正転させ又は逆転させ、動力ロッド３２が回転し第一歯車３３を回転連動させ、第一歯車３３が回転しラック３４を左右に移動連動させ、そして第二歯車３６が正方向に又は反方向に磨り棒３５を回転連動させ、、磨り棒３５が硯３８の表面で墨を磨り、墨磨りが終った後、動かし板２１を押し動かし第一引っ掛かりブロック２０を上に移動連動させ、第一引っ掛かりブロック２０と第一引っ掛かり溝１９とが引っ掛かり状態から離脱し、動かし板２１が伝動ベルトにより第二引っ掛かりブロック４９を下へ移動連動させ、第二引っ掛かりブロック４９と第二引っ掛かり溝５０とが引っ掛かり状態から離脱し、そして磨り箱３９を回転させ、硯３８を外部に連通させる。
【００１５】
本発明の有益効果は：本発明が水入口の中に水を入れる時、磨り機構を始動し、これにより磨り機構の中の磨り棒が硯の表面で墨を磨り、磨る過程で、人工での操作が必要なく、使用者が時間を節約してほかのことをすることができ、位置制限機構はモーターが作動磨る時の持続通電を保証し、墨磨りが終わった後、手動で磨りを止めることができ、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。